(57)【要約】【課題】特定の監視対象の入力点の監視を行う場合、系統図のグループ構成や個別構成が分からなくても、容易にかつ素早く系統図の特定や表示を行う。【解決手段】プラント情報入力手段と、系統図データベースと、系統図画面表示手段と、メニュー表示手段と、操作入力装置と、操作入力手段とを備えたプラント監視装置において、メニュー表示手段からの指示により、系統図データベースから、特定の前記監視対象の入力点を使用している系統図の画面名称を検索して、メニュー表示手段に送る入力点検索手段を備える。【選択図】図１
2006338077.tif 000002
【特許請求の範囲】
【請求項１】
複数の監視対象の入力点を有するプラントから、各入力点情報を受取り、系統図情報を作成して出力するプラント情報入力手段と、前記プラント情報入力手段により出力された系統図情報を受取り、保存する系統図データベースと、前記プラント情報入力手段により出力された系統図画面情報または前記系統図データベースからの系統図画面情報を受取り、表示装置に表示する系統図画面表示手段と、前記系統図データベースから系統図の画面名称を受取り、画面名称のメニューを作成して表示装置に表示するメニュー表示手段と、対話操作を行う操作入力装置と、前記操作入力装置からの系統図画面名称のメニュー表示の指示情報を前記メニュー表示手段に伝えるとともに、系統図画面表示の指示情報を前記メニュー表示手段を介して前記系統図画面表示手段に伝える操作入力手段とを備えたプラント監視装置において、
前記メニュー表示手段からの指示により、前記系統図データベースから、特定の前記監視対象の入力点を使用している系統図の画面名称を検索して、前記メニュー表示手段に送る入力点検索手段を備えることを特徴とするプラント監視装置。
【請求項２】
前記系統図画面表示手段は、前記特定の入力点の表示データの色替えを行う色替え表示手段をさらに備えたことを特徴とする請求項１に記載のプラント監視装置。
【請求項３】
前記メニュー表示手段の代わりに、特定のキーワードを使用している系統図の画面名称のメニューの作成を指示、または系統図の表示を指示する第２のメニュー表示手段と、
前記入力点検索手段の代わりに、前記系統図データベースから、前記特定のキーワードを使用している前記系統図の画面名称を検索して、前記第２のメニュー表示手段に送る画面名称検索手段と
を備えることを特徴とする請求項１に記載のプラント監視装置。
【請求項４】
前記メニュー表示手段の代わりに、特定のキーワードを使用している系統図の画面名称のメニューの作成を指示、または系統図の表示を指示する第２のメニュー表示手段と、
前記入力点検索手段の代わりに、前記系統図データベースの系統図に使用されている特定の入力点の入力点名称から、前記特定のキーワードが使用されている入力点を検索し、さらにその入力点を使用している系統図の画面名称を検索する入力点名称検索手段と
を備えることを特徴とする請求項１に記載のプラント監視装置。
【請求項５】
複数の監視対象の入力点を有するプラントから、各入力点情報を受取り、オペレーション情報を作成して出力するプラント情報入力手段と、前記プラント情報入力手段により出力されたオペレーション情報を受取り、保存するオペレーションデータベースと、前記プラント情報入力手段により出力されたオペレーション画面情報または前記オペレーションデータベースからのオペレーション画面情報を受取り、表示装置に表示するオペレーション画面表示手段と、前記オペレーションデータベースからオペレーションの画面名称を受取り、画面名称のメニューを作成して表示装置に表示するメニュー表示手段と、対話操作を行う操作入力装置と、前記操作入力装置からのオペレーション画面名称のメニュー表示の指示情報を前記メニュー表示手段に伝えるとともに、オペレーション画面表示の指示情報を前記メニュー表示手段を介して前記オペレーション画面表示手段に伝える操作入力手段とを備えたプラント監視装置において、
前記メニュー表示手段からの指示により、前記オペレーションデータベースから、特定の前記監視対象の入力点を使用しているオペレーションの画面名称を検索して、前記メニュー表示手段に送る入力点検索手段を備えることを特徴とするプラント監視装置。
【請求項６】
複数の監視対象の入力点を有するプラントから、各入力点情報を受取り、プラントテーブル情報を作成して出力するプラント情報入力手段と、前記プラント情報入力手段により出力されたプラントテーブル情報を受取り、保存するプラントテーブルデータベースと、前記プラント情報入力手段により出力されたプラントテーブル画面情報または前記プラントテーブルデータベースからのプラントテーブル画面情報を受取り、表示装置に表示するプラントテーブル画面表示手段と、前記プラントテーブルデータベースからプラントテーブルの画面名称を受取り、画面名称のメニューを作成して表示装置に表示するメニュー表示手段と、対話操作を行う操作入力装置と、前記操作入力装置からのプラントテーブル画面名称のメニュー表示の指示情報を前記メニュー表示手段に伝えるとともに、プラントテーブル画面表示の指示情報を前記メニュー表示手段を介して前記系統図画面表示手段に伝える操作入力手段とを備えたプラント監視装置において、
前記メニュー表示手段からの指示により、前記プラントテーブルデータベースから、特定の前記監視対象の入力点を使用しているプラントテーブルの画面名称を検索して、前記メニュー表示手段に送る入力点検索手段を備えることを特徴とするプラント監視装置。
【請求項７】
計算式情報を保存する計算式データベースと、前記計算式データベースからの計算式画面情報を受取り、表示装置に表示する計算式画面表示手段と、前記計算式データベースから計算式の画面名称を受取り、画面名称のメニューを作成して表示装置に表示するメニュー表示手段と、対話操作を行う操作入力装置と、前記操作入力装置からの計算式画面名称のメニュー表示の指示情報を前記メニュー表示手段に伝えるとともに、計算式画面表示の指示情報を前記メニュー表示手段を介して前記計算式画面表示手段に伝える操作入力手段とを備えたプラント監視装置において、
前記メニュー表示手段からの指示により、前記計算式データベースから、特定の前記監視対象の入力点を使用している計算式の画面名称を検索して、前記メニュー表示手段に送る入力点検索手段を備えることを特徴とするプラント監視装置。
【発明の詳細な説明】
【技術分野】
【０００１】
本発明は、系統図等のメニューを作成し、そのメニューを選択して画面表示を行うプラント監視装置に関する。
【背景技術】
【０００２】
従来の系統図の画面表示を用いたプラント監視装置の構成図を図１５に示す。  
図１５において、プラント監視装置１は、プラント情報入力手段３と、系統図画面表示手段４と、表示装置５と、系統図データベース６と、メニュー表示手段７と、操作入力手段８と、操作入力装置９とから構成されている。
【０００３】
プラント情報入力手段３は、プラント２からプラント情報を入力する。系統図画面表示手段４は、プラント情報入力手段３により入力されたプラント情報を系統図画面情報として表示装置５に表示する。表示装置５に表示された系統図画面情報により、プラントの状態監視を行う。
【０００４】
系統図の画面表示を行う場合には、操作入力装置９が、系統図画面表示メニュー対話画面Ｘ０１（図１６）を呼出し、メニューを表示し、表示したい系統図画面を指定し、系統図画面を表示する。
【０００５】
系統図画面の表示メニューＸ０１は、図１６に示すように、系統選択Ｘ０２を行って、選択した系統グループから系統図画面Ｘ０３の画面指定を行い、表示ボタンＸ０４を操作して、系統図画面の表示を行っている。不要の場合は、消去ボタンＸ０５を操作して、消去する。
【０００６】
また、図１７は、ＣＲＴオペレーション画面表示を用いたプラント監視装置の構成図である。  
図１７において、プラント監視装置１は、プラント情報入力手段３と、ＣＲＴオペレーション画面表示手段１０と、表示装置５と、ＣＲＴオペレーションデータベース１１と、メニュー表示手段７と、操作入力手段８と、操作入力装置９から構成されている。
【０００７】
プラント情報入力手段３は、プラント２からプラント情報を入力する。ＣＲＴオペレーション画面表示手段１０は、プラント情報入力手段３により入力されたプラント情報をＣＲＴオペレーション画面として表示装置５に表示する。表示装置５に表示されたＣＲＴオペレーション画面により、プラントの状態監視及び操作を行う。
【０００８】
表示したい操作端番号を有するＣＲＴオペレーション画面表示を行う場合には、図１８に示すように操作入力装置９が、ＣＲＴオペレーション画面メニュー対話画面Ｙ０１を呼び出し、メニューを表示し、このメニューに従って、表示したい操作端番号を指定し、表示を行う。
【０００９】
ＣＲＴオペレーション画面メニューは、図１８に示すとおりである。表示したい操作端番号Ｙ０２を入力し、表示ボタンＹ０３を操作すると、ＣＲＴオペレーション画面が表示される。不要の場合は、消去ボタンＹ０４を操作して、消去する。
【００１０】
また、図１９は、プラントテーブル画面表示を用いたプラント監視装置の構成図である。  
図１９において、プラント監視装置１は、プラント情報入力手段３と、プラントテーブル画面表示手段１２と、表示装置５と、プラントテーブルデータベース１３と、メニュー表示手段７と、操作入力手段８と、操作入力装置９から構成されている。
【００１１】
プラント情報入力手段３は、プラント２からプラント情報を入力する。プラントテーブル画面表示手段１２は、プラント情報入力手段３により入力されたプラント情報をプラントテーブル画面として表示装置５に表示する。表示装置５に表示されたプラントテーブル画面により、プラントの運転条件等の監視を行う。
【００１２】
表示したいプラントテーブル番号を指定して、プラントテーブル画面表示を行う場合には、操作入力装置９が、プラントテーブル画面表示メニュー対話画面Ｚ０１を呼び出し、このプラントテーブル画面表示メニューＺ０１に従って、メニューを表示し、表示したいプラントテーブル番号を指定して、表示を行う。
【００１３】
プラントテーブル画面表示メニューは、図２０に示すとおりである。表示したいプラントテーブル番号Ｚ０２を入力して、表示ボタンＺ０３を操作すると、プラントテーブル画面が表示される。
【００１４】
また、図２１は、計算式画面表示を用いたプラント監視装置の構成図である。  
図２１において、プラント監視装置１は、計算式画面表示手段１４と、表示装置５と、計算式データベース１５と、メニュー表示手段７と、入力手段８と、入力装置９から構成されている。
【００１５】
計算式画面表示手段１４は、計算式データベース１５の内容を表示装置５に表示し、表示された計算式画面により、プラントの計算式内容を確認する。
【００１６】
表示したい計算式の表示を行う場合、操作入力装置が、計算式画面表示メニューＷ０１を呼び出し、メニューを表示し、表示したい計算式番号を指定して、計算式画面を表示する。すなわち、図２２に示すように、表示したい計算式番号Ｗ０２を入力し、表示ボタンＷ０３を操作して行う。消去するときは、消去ボタンＷ０４を操作する。
【００１７】
以上の他に、従来提案されている類例をあげると、データ表示処理装置により、表示情報の入力点番号のみを指定し、プロセス入力アドレステーブルと応用演算アドレス変換テーブルと応用演算アドレステーブルを参照することにより、オブジェクトと共に応用演算装置による応用演算結果をも表示装置に表示可能にするプラント監視システムがある（特許文献１参照）。
【００１８】
さらに類例をあげると、操作フレームのみが表示されている場合でも、画面表示された操作フレームから系統図および関連データなどを呼出して表示あるいは自動表示させて、該当操作端の関連情報による認識度を高め、これによって誤操作、誤確認を防止できるようにし、また、ＣＲＴの画面上に各操作端の一覧表を画面表示させた状態で、この一覧表の中から該当する操作端を呼出し得るようにしたオペレーション装置が提供されている（特許文献２参照）。
【特許文献１】特開平１０−２４０３３９号公報
【特許文献２】特開２００１−８４００８号公報
【発明の開示】
【発明が解決しようとする課題】
【００１９】
図１６に示す従来の系統図画面表示メニューにおいては、次のような問題点があった。
【００２０】
特定の入力点の監視を行うために系統図画面を表示する場合、図１６の系統図画面表示メニューにおいては、オペレータが系統グループおよび個別の系統図画面を選択して系統図画面の表示を行うため、特定の入力点がどの系統図画面に使用されているか、およびその系統図画面がどの系統グループに属しているか等、予め系統図画面構成の詳細をオペレータが知っていなければ表示できないという課題があった。
【００２１】
そこで本発明では、監視対象の特定の入力点の監視を行う場合には、オペレータが系統図画面のグループ構成、個別の系統図画面構成を熟知していなくても、素早く特定の入力点を使用している系統図画面の選定および表示を行うことができるプラント監視装置を提供することを目的とする。
【００２２】
また、従来の図１８に示すＣＲＴオペレーション画面メニューにおいては、次のような問題点があった。  
特定の入力点が使用されているＣＲＴオペレーション画面の検索および表示を行う場合には、図１８のＣＲＴオペレーション画面メニューにおいて、オペレータが予め特定の入力点がどのＣＲＴオペレーション画面に使用されているかを知っていなければ、表示できないという課題があった。
【００２３】
そこで本発明では、監視対象の特定の入力点がどのＣＲＴオペレーション画面で使用されているかをオペレータが知っていなくても、素早く特定の入力点を使用しているＣＲＴオペレーション画面の特定および表示を行うことができるプラント監視装置を提供することを目的とする。
【００２４】
また、従来の図２０に示すプラントテーブル画面表示メニューにおいては、次のような問題点があった。すなわち、特定の入力点が使用されているプラントテーブル画面の検索および表示を行う場合には、図２０のプラントテーブル画面表示メニューにおいて、予め特定の入力点がどのプラントテーブル画面に使用されているかをオペレータが知っていなければ表示できないという課題があった。  
そこで本発明では、特定の入力点がどのプラントテーブル画面で使用しているかをオペレ−タが知っていなくても、素早く特定の入力点を使用しているプラントテーブル画面の特定および表示を行うことができるプラント監視装置を提供することを目的とする。
【００２５】
また、従来の図２２に示す計算式画面表示メニューにおいては、次のような問題点があった。すなわち、監視対象の特定の入力点が使用されている計算式画面の検索および表示を行う場合には、オペレータが図２２の計算式表示メニューにおいて、予め特定の入力点がどの計算式画面に使用されているかを知っていなければ表示できないという課題があった。  
そこで本発明では、監視対象の特定の入力点がどの計算式画面で使用されているかをオペレータが知っていなくても、素早く特定の入力点を使用している計算式画面の特定および表示を行うことができるプラント監視装置を提供することを目的とする。
【課題を解決するための手段】
【００２６】
上述の目的を達成するために、本発明の請求項１に記載のプラント監視装置は、複数の監視対象の入力点を有するプラントから、各入力点情報を受取り、系統図情報を作成して出力するプラント情報入力手段と、プラント情報入力手段により出力された系統図情報を受取り、保存する系統図データベースと、プラント情報入力手段により出力された系統図画面情報または系統図データベースからの系統図画面情報を受取り、表示装置に表示する系統図画面表示手段と、系統図データベースから系統図の画面名称を受取り、画面名称のメニューを作成して表示装置に表示するメニュー表示手段と、対話操作を行う操作入力装置と、操作入力装置からの系統図画面名称のメニュー表示の指示情報をメニュー表示手段に伝えるとともに、系統図画面表示の指示情報をメニュー表示手段を介して系統図画面表示手段に伝える操作入力手段とを備えたプラント監視装置において、メニュー表示手段からの指示により、系統図データベースから、特定の監視対象の入力点を使用している系統図の画面名称を検索して、メニュー表示手段に送る入力点検索手段を備えることを特徴とする。
【００２７】
本発明の請求項５に記載のプラント監視装置は、複数の監視対象の入力点を有するプラントから、各入力点情報を受取り、オペレーション情報を作成して出力するプラント情報入力手段と、プラント情報入力手段により出力されたオペレーション情報を受取り、保存するオペレーションデータベースと、プラント情報入力手段により出力されたオペレーション画面情報またはオペレーションデータベースからのオペレーション画面情報を受取り、表示装置に表示するオペレーション画面表示手段と、オペレーションデータベースからオペレーションの画面名称を受取り、画面名称のメニューを作成して表示装置に表示するメニュー表示手段と、対話操作を行う操作入力装置と、操作入力装置からのオペレーション画面名称のメニュー表示の指示情報を前記メニュー表示手段に伝えるとともに、オペレーション画面表示の指示情報をメニュー表示手段を介してオペレーション画面表示手段に伝える操作入力手段とを備えたプラント監視装置において、メニュー表示手段からの指示により、オペレーションデータベースから、特定の監視対象の入力点を使用しているオペレーションの画面名称を検索して、メニュー表示手段に送る入力点検索手段を備えることを特徴とする。
【００２８】
本発明の請求項６に記載のプラント監視装置は、複数の監視対象の入力点を有するプラントから、各入力点情報を受取り、プラントテーブル情報を作成して出力するプラント情報入力手段と、プラント情報入力手段により出力されたプラントテーブル情報を受取り、保存するプラントテーブルデータベースと、プラント情報入力手段により出力されたプラントテーブル画面情報またはプラントテーブルデータベースからのプラントテーブル画面情報を受取り、表示装置に表示するプラントテーブル画面表示手段と、プラントテーブルデータベースからプラントテーブルの画面名称を受取り、画面名称のメニューを作成して表示装置に表示するメニュー表示手段と、対話操作を行う操作入力装置と、操作入力装置からのプラントテーブル画面名称のメニュー表示の指示情報をメニュー表示手段に伝えるとともに、プラントテーブル画面表示の指示情報をメニュー表示手段を介して系統図画面表示手段に伝える操作入力手段とを備えたプラント監視装置において、メニュー表示手段からの指示により、プラントテーブルデータベースから、特定の監視対象の入力点を使用しているプラントテーブルの画面名称を検索して、メニュー表示手段に送る入力点検索手段を備えることを特徴とする。
【００２９】
本発明の請求項７に記載のプラント監視装置は、計算式情報を保存する計算式データベースと、計算式データベースからの計算式画面情報を受取り、表示装置に表示する計算式画面表示手段と、計算式データベースから計算式の画面名称を受取り、画面名称のメニューを作成して表示装置に表示するメニュー表示手段と、対話操作を行う操作入力装置と、操作入力装置からの計算式画面名称のメニュー表示の指示情報をメニュー表示手段に伝えるとともに、計算式画面表示の指示情報をメニュー表示手段を介して計算式画面表示手段に伝える操作入力手段とを備えたプラント監視装置において、メニュー表示手段からの指示により、計算式データベースから、特定の監視対象の入力点を使用している計算式の画面名称を検索して、メニュー表示手段に送る入力点検索手段を備えることを特徴とする。
【発明の効果】
【００３０】
プラントの特定の監視対象の入力点が使われている各種の画面を表示する場合、入力点検索手段により、各種画面のデータベースから検索して各種画面のメニューを構成し、このメニューから所定の画面を選定することにより、所望の画面を容易にかつ素早く特定することができる。
【発明を実施するための最良の形態】
【００３１】
以下に本発明に係るプラント監視装置について、図面を参照して説明する。
【実施例１】
【００３２】
図１は、実施例１のプラント監視装置のブロック構成図である。  
図１５に示した従来のプラント監視装置のブロック構成図との相違点は、系統図データベース６とメニュー表示手段７との間に、入力点検索手段１０１を設けたことである。  
この入力点検索手段１０１は、メニュー表示手段７が系統図データベース６から検索して、系統図画面のメニューを表示する際に、図２に示すような系統図画面使用先一覧表示の対話画面２０１の中で、特定の監視対象である検索入力点エリア２０２への入力を要求する。
【００３３】
図２に示された系統図画面使用先一覧表示対話画面２０１において、検索入力点指定エリア２０２に、操作入力装置９により検索入力点を入力し、系統図画面の検索を要求する検索ボタン２０３を操作すると、入力点検索手段１０１が、この入力点を使用している系統図画面の名称を抽出検索し、系統図画面選択表示エリア２０４に一覧表示する。
【００３４】
系統図画面選択表示エリア２０４から、さらに系統図画面の名称を選択し、表示要求ボタン２０５を操作すると、検索入力点を含む系統図画面が表示される。系統図画面選択表示エリア２０４が不要であれば、消去ボタン２０６を操作する。
【００３５】
本実施例によれば、特定の監視対象の入力点を指定し、その入力点が使用されている系統図画面の名称を検索し、一覧表示することができる。さらに、その一覧表示より系統図画面を選択して、系統図画面の表示要求を行うと、特定の監視対象の入力点を使用している系統図画面を表示することができる。
【００３６】
したがって、特定の監視対象の入力点の監視を行う場合、オペレータが系統図画面のグループ構成および個々の系統図画面の構成内容を熟知していなくても、速やかに特定の監視対象の入力点を使用している系統図画面を表示することができる。
【００３７】
また、プラントの特定の監視対象の入力点の変更・削除が発生した場合にも、同様の手法により、対象系統図画面を素早く表示することができるため、変更・削除の対応を容易に行うことができる。
【００３８】
特定の監視対象の入力点の検索、使用先一覧表示及び系統図画面表示は、図２に示したように、１つの対話画面で示しているが、図３に示したように、これらを別々の対話画面に分けてもよい。
【実施例２】
【００３９】
図４は、実施例２のプラント監視装置のブロック構成図である。  
実施例１に示したプラント監視装置のブロック構成図（図１）との相違点は、系統図画面表示手段４に指定入力点色替え表示手段４０２を持たせたことである。特定の監視対象の入力点を指定して系統図画面を検索し、使用先検索一覧から系統図画面を選択して表示したときに、指定した入力点の表示データを、色替え表示することができる。
【００４０】
これにより、特定の監視対象の入力点の監視を行うために、実施例１のプラント監視装置により系統図画面を表示した場合、系統図画面のどこに指定された特定の監視対象の入力点が表示されているかが容易に判断できる。
【００４１】
本実施例では、指定された特定の監視対象の入力点の表示データの色替え表示を行っているが、表示データを点線で囲んだり、マーク表示したりしてもよい。
【実施例３】
【００４２】
図５は、実施例３のプラント監視装置のブロック構成図である。  
図１５に示した従来のプラント監視装置のブロック構成図との相違点は、系統図データベース６と第２のメニュー表示手段７との間に、画面名称検索手段５０１を設けたことである。  
この画面名称検索手段５０１は、第２のメニュー表示手段７が系統図データベース６から検索して、系統図画面のメニューを表示する際に、図６に示すような系統図画面名称検索一覧表示対話画面６０１の中で、検索キーワード指定エリア６０２への入力を要求する。
【００４３】
図６に示された系統図画面名称検索一覧表示対話画面６０１において、検索キーワード指定エリア６０２に、操作入力装置９により検索キーワードを入力し、系統図画面のの名称の検索を要求する検索要求ボタン６０３を操作すると、画面名称検索手段５０１が、検索キーワードを含む画面名称を検索し、系統図画面選択エリア６０４に一覧表示する。
【００４４】
系統図画面選択一覧エリア６０４から、さらに系統図画面の名称を選択し、表示要求ボタン６０５を操作すると、系統図画面が表示される。系統図画面選択一覧エリア６０４が不要であれば、消去ボタン６０６を操作する。
【００４５】
本実施例によれば、キーワードを指定し、そのキーワードを含む画面名称の系統図画面を検索し、画面名称を一覧表示することができる。さらに、その一覧表示より系統図画面の画面名称を選択し、系統図画面表示の要求を行うと、キーワードを含む画面名称の系統図画面を表示することができる。
【００４６】
したがって、系統図画面の表示を行う場合、オペレータが系統図画面のグループ構成、個々の系統図画面の構成内容を熟知していなくても、速やかに設備名称等のキーワードを含む画面名称の系統図画面を表示することができる。
【実施例４】
【００４７】
図７は、実施例４のプラント監視装置のブロック構成図である。  
図１５に示した従来のプラント監視装置のブロック構成図との相違点は、系統図データベース６と第３のメニュー表示手段７との間に、入力点名称検索手段７０１を設けたことである。
【００４８】
この入力点名称検索手段７０１は、第３のメニュー表示手段７が系統図データベース６から検索して、系統図画面のメニューを表示する際に、図８に示すような系統図画面入力点名称検索一覧表示対話画面８０１の中、検索キーワード指定エリア８０２への入力を要求する。  
図８に示された系統図画面入力点の名称検索一覧表示対話画面８０１において、検索キーワード指定エリア８０２に入力装置により検索キーワードを入力し、系統図画面のタイトルの検索要求ボタン８０３を操作すると、図７の入力点名称検索手段７０１が、検索キーワードを含む入力点を検索し、さらにその入力点を使用している系統図画面の名称を検索し、系統図画面選択表示エリア８０４に系統図画面メニューを一覧表示する。
【００４９】
系統図画面の名称の一覧から、さらに系統図画面を選択して表示要求ボタン８０５を操作すると、系統図画面が表示される。
【００５０】
本実施例によれば、キーワードを指定し、そのキーワードを含む入力点名称の入力点を使用している系統図画面の名称を検索して一覧表示し、さらに、その検索一覧表示より系統図画面の名称を選択し、系統図画面表示を要求すると、キーワードを含む入力点名称を使用している入力点の系統図画面を表示することができる。
【００５１】
したがって、特定の監視対象の入力点の監視を行う場合、オペレータが入力点のＩＤが判らなくても、設備名称等のキーワードにより、速やかに入力点名称にキーワードを含む入力点を使用している系統図画面を、素早く表示することができる。
【実施例５】
【００５２】
図９は、実施例５のプラント監視装置のブロック構成図である。  
実施例１に示したプラント監視装置のブロック構成図との相違点は、系統図画面表示手段４に替えて、ＣＲＴオペレーション画面表示手段１０を設け、系統図データベース６に替えて、ＣＲＴオペレーションデータベース１１を設けたことである。すなわち、系統図に替えて、ＣＲＴオペレーション画面を扱う構成にしたことである。
【００５３】
実施例１と同様に、入力点検索手段１１０１は、メニュー表示手段７がＣＲＴオペレーションデータベース１１から検索して、ＣＲＴオペレーション画面のメニューを表示する際に、図１０に示すようなＣＲＴオペレーション画面使用先一覧表示の対話画面１２０１の中、検索入力点指定エリア１２０２への入力を要求する。
【００５４】
図１０に示されたＣＲＴオペレーション画面使用先一覧表示の対話画面１２０１において、検索入力点指定エリア１２０２に、入力装置９より検索入力点を入力し、ＣＲＴオペレーション画面の検索要求ボタン１２０３を操作すると、入力点検索手段１１０１が、検索されている入力点を使用しているＣＲＴオペレーション画面の名称を検索し、ＣＲＴオペレーション画面選択表示エリア１２０４に一覧表示される。
【００５５】
ＣＲＴオペレーション画面一覧から、さらにＣＲＴオペレーション画面のタイトルを選択し、表示要求ボタン１２０５を操作すると、ＣＲＴオペレーション画面が表示される。ＣＲＴオペレーション画面一覧が不要であれば、消去ボタン１２０６を操作する。
【００５６】
本実施例によれば、特定の入力点を指定し、その入力点が使用されているＣＲＴオペレーション画面の名称を検索し、一覧表示することができる。さらに、その使用先一覧表示からＣＲＴオペレーション画面の名称を選択し、ＣＲＴオペレーション画面表示要求を行うと、検索したい入力点を使用しているＣＲＴオペレーション画面を表示することができる。
【００５７】
したがって、特定の監視対象の入力点を使用しているＣＲＴオペレーション画面を表示する場合、オペレータがＣＲＴオペレーション画面のグループ構成、個々のＣＲＴオペレーション画面の構成内容を熟知していなくても、速やかに特定の入力点を使用しているＣＲＴオペレーション画面を選定することができる。さらに、選定されたＣＲＴオペレーション画面を表示することにより速やかにＣＲＴオペレーション操作を行うことができる。
【００５８】
また、プラントの入力点の変更・削除が発生した場合にも、入力点の使用先検索により対象ＣＲＴオペレーション画面を素早く特定して、ＣＲＴオペレーション画面の変更を容易に行うことができる。
【実施例６】
【００５９】
図１１は、実施例６のプラント監視装置のブロック構成図である。  
実施例１に示したプラント監視装置のブロック構成図との相違点は、系統図画面表示手段４に替えて、プラントテーブル画面表示手段１２を設け、系統図データベース６に替えて、プラントテーブルデータベース１３を設けたことである。すなわち、系統図画面に替えて、プラントテーブル画面を扱う構成にしたことである。
【００６０】
実施例１と同様に、入力点検索手段１５０１は、メニュー表示手段７がプラントテーブルデータベース１３から検索して、プラントテーブル画面のメニューを表示する際に、図１２に示すようなプラントテーブル画面使用先一覧表示対話画面１６０１の中、検索入力点指定エリア２０２への入力を要求する。
【００６１】
図１２に示されたプラントデータテーブル画面使用先一覧表示の対話画面１６０１において、検索入力点指定エリア１６０２に、操作入力装置９により検索入力点を入力し、プラントテーブル画面の検索要求ボタン１６０３を操作すると、入力点検索手段１５０１が、この検索入力点を使用しているプラントテーブル画面の名称を検索し、プラントテーブル画面選択表示エリア１６０４に一覧表示する。
【００６２】
このプラントテーブル画面一覧から、さらにプラントテーブル画面の名称を選択し、表示要求ボタン１６０５を操作すると、プラントテーブル画面が表示される。プラントテーブル画面選択表示エリア１６０４が不要であれば、消去ボタン１６０６を操作する。
【００６３】
本実施例によれば、特定の監視対象の入力点を指定し、その入力点が使用されているプラントテーブル画面の名称を検索し、一覧表示することができる。さらに、その使用先一覧表示よりプラントテーブル画面の名称を選択し、プラントテーブル画面表示要求を行うと、検索入力点を使用しているプラントテーブル画面を表示することができる。
【００６４】
したがって、特定の監視対象の入力点を使用しているプラントテーブル画面を表示する場合、オペレータがプラントテーブル画面の個々の表番号、使用用途、構成内容を熟知していなくても、速やかに特定の入力点を使用しているプラントテーブル画面を特定し、表示することができ、その結果、プラントの運転条件等の監視を行うことができる。
【００６５】
また、プラントの入力点の変更・削除が発生した場合にも、入力点の使用先検索により対象プラントテーブル画面を素早く特定し、プラントテーブル画面の変更を容易に行うことができる。
【実施例７】
【００６６】
図１３は、実施例７のプラント監視装置のブロック構成図である。  
実施例１に示したプラント監視装置のブロック構成図との相違点は、プラント２及びプラント情報入力手段は、削除し、系統図画面表示手段４に替えて、計算式画面表示手段１４を設け、系統図データベース６に替えて、計算式データベース１５を設けたことである。すなわち、系統図画面に替えて、計算式画面を扱う構成にしたことである。
【００６７】
実施例１と同様に、入力点検索手段１９０１は、メニュー表示手段７が計算式データベース１５から検索して、計算式画面のメニューを表示する際に、図１４に示すような計算式画面使用先一覧表示対話画面２００１の中、検索入力点指定エリア２００２への入力を要求する。
【００６８】
図１４に示された計算式画面使用先一覧表示対話画面２００１において、検索入力点指定エリア２００２に、操作入力装置９により検索入力点に特定の入力点を入力し、計算式画面の検索要求ボタン２００３を操作すると、入力点検索手段１９０１が、検索入力点を使用している計算式画面の名称を検索し、計算式画面選択表示エリア２００４に一覧表示する。
【００６９】
計算式画面選択表示エリア２００４から、さらに計算式画面の名称を選択して表示要求２００５を行うと、計算式画面が表示される。
【００７０】
本実施例によれば、特定の監視対象の入力点を指定し、その入力点が使用されている計算式画面の名称を検索して一覧表示し、さらに、その一覧表示より計算式画面の名称を選択して、計算式画面の表示要求ボタン２００５を操作すると、検索入力点を使用している計算式画面が表示される。
【００７１】
したがって、特定の監視対象の入力点を使用している計算式画面を表示する場合、オペレータが計算式画面の個々の表番号、使用用途、構成内容を熟知していなくても、速やかに特定の監視対象の入力点を使用している計算式画面を選定して、計算式画面を表示することができ、その結果、プラントの運転条件等の監視を容易に行うことができる。
【００７２】
また、プラントの入力点の変更・削除が発生した場合でも、入力点の使用先検索により対象計算式画面を素早く特定することができるので、計算式画面の変更を容易に行うことができる。
【００７３】
なお、本発明においては、表示装置として、ＣＲＴ表示装置だけではなく、液晶表示装置、プラズマディスプレイ等種種の情報を表示することができる装置全てに適用することができる。
【産業上の利用可能性】
【００７４】
特定の入力点が使われている各種の画面を表示する場合、入力点検索手段により、各種画面のデータベースから検索して画面のメニューを構成し、このメニューから所定の画面を選定することにより、画面を容易にかつ素早く特定することが不可欠な用途に適用できる。
【図面の簡単な説明】
【００７５】
【図１】プラント監視装置のブロック構成図である。
【図２】系統図画面使用先一覧表示の対話画面である。
【図３】系統図画面使用先一覧表示の対話画面である。
【図４】プラント監視装置のブロック構成図である。
【図５】プラント監視装置のブロック構成図である。
【図６】系統図画面名称検索一覧表示の対話画面である。
【図７】プラント監視装置のブロック構成図である。
【図８】系統図画面入力点名称検索一覧表示の対話画面である。
【図９】プラント監視装置ブロック構成図である。
【図１０】ＣＲＴオペレーション画面使用先一覧表示の対話画面である。
【図１１】プラント監視装置のブロック構成図である。
【図１２】プラントテーブル画面使用先一覧表示の対話画面である。
【図１３】プラント監視装置のブロック構成図である。
【図１４】計算式画面使用先一覧表示対話画面である。
【図１５】従来のプラント監視装置のブロック構成図である。
【図１６】従来のプラント監視装置の系統図画面表示の対話画面である。
【図１７】従来のプラント監視装置ブロック構成図（ＣＲＴオペレーション画面表示）である。
【図１８】従来のプラント監視装置のＣＲＴオペレーション画面表示対話画面である。
【図１９】従来のプラント監視装置のブロック構成図（プラントテーブル画面表示）である。
【図２０】従来のプラント監視装置のプラントテーブル画面表示の対話画面である。
【図２１】従来のプラント監視装置のブロック構成図（計算式画面表示）である。
【図２２】従来のプラント監視装置の計算式画面表示の対話画面である。
【符号の説明】
【００７６】
１…プラント監視装置、２…プラント、３…プラント情報入力手段、４…系統図画面表示手段、５…表示装置、６…系統図データベース、７…メニュー表示手段、８…操作入力手段、９…操作入力装置、１０…ＣＲＴオペレーション画面表示手段、１１…ＣＲＴオペレーションデータベース、１２…プラントテーブル画面表示手段、１３…プラントテーブルデータベース、１４…計算式画面表示手段、１５…計算式データベース、１０１…入力点検索手段、２０１…系統図画面使用先一覧表示対話画面、２０２…検索入力点指定エリア、２０３…検索要求ボタン、２０４…系統図画面選択表示エリア、２０５…表示要求ボタン、２０６…消去要求ボタン、３０１…系統図画面使用先一覧検索対話画面、３０２…検索入力点指定エリア、３０３…検索要求ボタン、３０４…消去要求ボタン、３０５…系統図画面使用先一覧表示対話画面、３０６…系統図画面選択表示エリア、３０７…表示要求ボタン、３０８…戻る要求ボタン、３０９…消去要求ボタン、４０１…入力点検索手段、４０２…指定入力点色替え表示手段、５０１…画面名称検索手段、６０１…系統図画面名称検索一覧表示対話画面、６０２…検索キーワード指定エリア、６０３…検索要求ボタン、６０４…系統図画面選択表示エリア、６０５…表示要求ボタン、６０６…消去要求ボタン、７０１…入力点名称検索手段、８０１…系統図画面入力点名称検索一覧表示対話画面、８０２…検索キーワード指定エリア、８０３…検索要求ボタン、８０４…系統図画面選択表示エリア、８０５…表示要求ボタン、８０６…消去要求ボタン、１１０１…入力点検索手段（ＣＲＴオペレーション画面）、１２０１…ＣＲＴオペレーション画面使用先一覧表示対話画面、１２０２…検索入力点指定エリア（ＣＲＴオペレーション画面）、１２０３…検索要求ボタン（ＣＲＴオペレーション画面）、１２０４…ＣＲＴオペレーション画面選択表示エリア（ＣＲＴオペレーション画面）、１２０５…表示要求ボタン（ＣＲＴオペレーション画面）、１２０６…消去要求ボタン（ＣＲＴオペレーション画面）、１５０１…入力点検索手段（プラントテーブル画面）、１６０１…プラントテーブル画面使用先一覧表示対話画面、１６０２…検索入力点指定エリア（プラントテーブル画面）、１６０３…検索要求ボタン（プラントテーブル画面）、１６０４…プラントテーブル画面選択表示エリア（プラントテーブル画面）、１６０５…表示要求ボタン（プラントテーブル画面）、１６０６…消去要求ボタン（プラントテーブル画面）、１９０１…入力点検索手段（計算式画面）、２００１…計算式画面使用先一覧表示対話画面、２００２…検索入力点指定エリア（計算式画面）、２００３…検索要求ボタン（計算式画面）、２００４…計算式画面選択表示エリア（計算式画面）、２００５…表示要求ボタン（計算式画面）、２００６…消去要求ボタン（計算式画面）、Ｘ０１…系統図画面表示メニュー対話画面、Ｘ０２…系統選択エリア、Ｘ０３…系統図画面選択エリア、Ｘ０４…表示要求ボタン、Ｘ０５…消去要求ボタン、Ｙ０１…ＣＲＴオペレーション画面メニュー対話画面、Ｙ０２…操作端番号入力エリア、Ｙ０３…表示要求ボタン、Ｙ０４…消去要求ボタン、Ｚ０１…プラントテーブル画面表示メニュー対話画面、Ｚ０２…プラントテーブル番号入力エリア、Ｚ０３…表示要求ボタン、Ｚ０４…消去要求ボタン、Ｗ０１…計算式画面表示メニュー対話画面、Ｗ０２…計算式番号入力エリア、Ｗ０３…表示要求ボタン、Ｗ０４…消去要求ボタン。
【図１】
2006338077.tif 000003
【図２】
2006338077.tif 000004
【図３】
2006338077.tif 000005
【図４】
2006338077.tif 000006
【図５】
2006338077.tif 000007
【図６】
2006338077.tif 000008
【図７】
2006338077.tif 000009
【図８】
2006338077.tif 000010
【図９】
2006338077.tif 000011
【図１０】
2006338077.tif 000012
【図１１】
2006338077.tif 000013
【図１２】
2006338077.tif 000014
【図１３】
2006338077.tif 000015
【図１４】
2006338077.tif 000016
【図１５】
2006338077.tif 000017
【図１６】
2006338077.tif 000018
【図１７】
2006338077.tif 000019
【図１８】
2006338077.tif 000020
【図１９】
2006338077.tif 000021
【図２０】
2006338077.tif 000022
【図２１】
2006338077.tif 000023
【図２２】
2006338077.tif 000024